(57)【要約】【課題】  パラメータを好適に取得できる。【解決手段】  眼鏡フレームを装用した前記被検者の正面画像と、前記眼鏡フレームを装用した被検者の側方画像と、を解析し、被検者の眼鏡装用パラメータを測定するための眼鏡装用パラメータ測定装置であって、前記正面画像、前記側方画像を表示部に表示する表示制御手段と、前記被検者の眼又は前記眼鏡フレームに関する位置を規定するための位置情報を、前記正面画像、前記側方画像の一方の画像に基づいて検出する位置情報検出手段と、を備え、前記表示制御手段は、前記位置情報検出手段によって検出された前記位置情報に基づいて、前記正面画像、前記側方画像の他方の画像の表示領域に対し、前記位置情報に対応する対応表示を行うことを特徴とする。【選択図】      図１
2015066138.tif 000002
【特許請求の範囲】
【請求項１】
眼鏡フレームを装用した前記被検者の正面画像と、前記眼鏡フレームを装用した被検者の側方画像と、を解析し、被検者の眼鏡装用パラメータを測定するための眼鏡装用パラメータ測定装置であって、
前記正面画像、前記側方画像を表示部に表示する表示制御手段と、
前記被検者の眼又は前記眼鏡フレームに関する位置を規定するための位置情報を、前記正面画像、前記側方画像の一方の画像に基づいて検出する位置情報検出手段と、
を備え、
前記表示制御手段は、前記位置情報検出手段によって検出された前記位置情報に基づいて、前記正面画像、前記側方画像の他方の画像の表示領域に対し、前記位置情報に対応する対応表示を行うことを特徴とする眼鏡装用パラメータ測定装置。
【請求項２】
前記表示制御手段は、
前記他方の画像の表示領域に対して表示される前記対応表示は、第１対応表示とし、
さらに、前記位置情報検出手段によって検出された前記位置情報に基づいて、前記正面画像、前記側方画像の一方の画像の表示領域に対し、前記位置情報に対応する第２の対応表示を行うことを特徴とする請求項１の眼鏡装用パラメータ測定装置。
【請求項３】
検者の指示を受付ける指示受付手段を備え、
前記位置情報検出手段は、前記指示受付手段からの指示信号に基づいて前記位置情報を検出し、
前記表示制御手段は、前記位置情報の検出結果に基づいて、前記他方の画像の表示領域に対して対応表示を行うこと特徴とする請求項１〜２のいずれかの眼鏡装用パラメータ測定装置。
【請求項４】
前記表示制御手段は、前記正面画像において、第１の指標を表示すると共に、前記側方画像において、前記第１の指標の高さに対応する第２の指標を表示し、
前記位置情報検出手段は、前記第１の指標、前記第２の指標の一方を移動させるための前記指示受付手段からの指示信号に基づいて前記位置情報を検出し、
前記表示制御手段は、前記位置情報の検出結果に基づいて、前記第１の指標、前記第２の指標の他方を同期して移動させることによって、前記正面画像、前記側方画像の他方の画像の表示領域に対する前記対応表示の表示位置を変更すること特徴とする請求項３の眼鏡装用パラメータ測定装置。
【請求項５】
検者の指示を受付ける指示受付手段と、
前記位置情報が表示された前記他方の画像の表示領域に対する前記指示受付手段からの指示信号に基づいて、前記他方の画像での被検者の眼又は前記眼鏡に関する位置を規定するための位置情報を検出する第２位置情報検出手段を備えることを特徴とする請求項１〜２のいずれかの眼鏡装用パラメータ測定装置。
【請求項６】
前記一方の画像は、正面画像であって、
前記他方の画像は、側方画像であることを特徴とする請求項１〜５の何れかの眼鏡装用パラメータ測定装置。
【請求項７】
眼鏡を装用した前記被検者の正面画像と、前記眼鏡を装用した被検者の側方画像と、を解析し、被検者の眼鏡装用パラメータを測定するための眼鏡装用パラメータ測定装置において実行される眼鏡装用パラメータ測定用プログラムであって、
前記眼鏡装用パラメータ測定装置のプロセッサによって実行されることで、
前記正面画像、前記側方画像を表示部に表示する表示制御ステップと、
前記被検者の眼又は前記眼鏡に関する位置を規定するための位置情報を、前記正面画像、前記側方画像の一方の画像に基づいて検出する位置情報検出ステップと、
前記表示制御手段は、前記位置情報検出手段によって検出された前記位置情報に基づいて、前記正面画像、前記側方画像の他方の画像の表示領域に対し、前記位置情報に対応する対応表示を行う対応表示ステップと、
を前記眼鏡装用パラメータ測定装置に実行させることを特徴とする眼鏡装用パラメータ測定用プログラム。
【発明の詳細な説明】
【技術分野】
【０００１】
本発明は、眼鏡を製作するために必要な眼鏡装用パラメータを測定するための眼鏡装用パラメータ測定装置、及び眼鏡装用パラメータ測定用プログラムに関する。
【背景技術】
【０００２】
眼鏡を作製する際、検査によって得られた処方値に眼鏡が適合するように、眼鏡レンズの設計、又は眼鏡レンズの加工及び枠入れを行う必要がある。
【０００３】
そこで、眼鏡フレームを装用した状態の被検者の顔を撮像装置によって撮影し、その撮影画像から眼鏡フレームに対する眼の位置（アイポジション）を算出する眼鏡装用パラメータ測定装置が提案されている（特許文献１参照）。
【先行技術文献】
【特許文献】
【０００４】
【特許文献１】特開２００７−２１６０４９号公報
【発明の概要】
【発明が解決しようとする課題】
【０００５】
従来の装置において、正面方向から被検者を撮影した正面画像と、単一の側方から被検者を撮影した側方画像を解析し、種々の眼鏡装用パラメータを測定していた。
【０００６】
ところで、表示部に表示された正面画像及び側方画像を観察しながら、検者によって手動で解析を行うことが考えられている。しかしながら、正面画像と側方画像とが関連付けられておらず、適正なパラメータの取得が困難であった。例えば、側方画像における瞳孔位置の特定は困難であった。
【０００７】
本発明は、上記問題点を鑑み、パラメータを好適に取得できる眼鏡装用パラメータ測定装置及び眼鏡装用パラメータ測定用プログラムを提供することを技術課題とする。
【課題を解決するための手段】
【０００８】
（１）  眼鏡フレームを装用した前記被検者の正面画像と、前記眼鏡フレームを装用した被検者の側方画像と、を解析し、被検者の眼鏡装用パラメータを測定するための眼鏡装用パラメータ測定装置であって、前記正面画像、前記側方画像を表示部に表示する表示制御手段と、前記被検者の眼又は前記眼鏡フレームに関する位置を規定するための位置情報を、前記正面画像、前記側方画像の一方の画像に基づいて検出する位置情報検出手段と、を備え、前記表示制御手段は、前記位置情報検出手段によって検出された前記位置情報に基づいて、前記正面画像、前記側方画像の他方の画像の表示領域に対し、前記位置情報に対応する対応表示を行うことを特徴とする。
（２）  眼鏡を装用した前記被検者の正面画像と、前記眼鏡を装用した被検者の側方画像と、を解析し、被検者の眼鏡装用パラメータを測定するための眼鏡装用パラメータ測定装置において実行される眼鏡装用パラメータ測定用プログラムであって、前記眼鏡装用パラメータ測定装置のプロセッサによって実行されることで、前記正面画像、前記側方画像を表示部に表示する表示制御ステップと、前記被検者の眼又は前記眼鏡に関する位置を規定するための位置情報を、前記正面画像、前記側方画像の一方の画像に基づいて検出する位置情報検出ステップと、前記表示制御手段は、前記位置情報検出手段によって検出された前記位置情報に基づいて、前記正面画像、前記側方画像の他方の画像の表示領域に対し、前記位置情報に対応する対応表示を行う対応表示ステップと、を前記眼鏡装用パラメータ測定装置に実行させることを特徴とする。
【図面の簡単な説明】
【０００９】
【図１】本実施形態の外観を説明するための概略構成図である。
【図２】本実施形態の光学系を説明するための概略構成図である。
【図３】本実施形態の側方撮像光学系の概略構成図である。
【図４】本実施形態の制御系を示すブロック図である。
【図５】表示部に表示される画面の一例を示す図である。
【図６】表示部に表示される画面を用いた操作方法を説明するための図である。
【図７】表示部に表示される画面の一例を示す図である。
【発明を実施するための形態】
【００１０】
以下、本実施形態を図面に基づいて説明する。なお、以下の説明において、被検者の左右方向をＸ軸方向、被検者の上下方向をＹ軸方向、被検者の前後方向をＺ軸方向として説明する。図１は本実施形態に係る眼鏡装用パラメータ測定装置１の構成を説明するための図である。図２は、遠用測定時における本実施形態の眼鏡装用パラメータ測定装置１をＹＺ平面で切ったときの断面図である。
【００１１】
＜概要＞
本装置１は、正面撮像光学系（例えば、撮像光学系２００ｂ、撮像光学系３００ｂ）と、側方撮像光学系５００と、表示制御手段（例えば、制御部７０）と、を主に備える（図１参照）。正面撮像光学系は、例えば、眼鏡フレームＦを装用した被検者の正面画像６２０を撮像してもよい。正面撮像光学系は、例えば、被検者に対する撮像距離を変更可能であってもよい。側方撮像光学系５００は、例えば、眼鏡フレームＦを装用した被検者の側方画像（例えば、左側方画像６２１、右側方画像６２２）を撮像してもよい（図５参照）。なお、被検者が眼鏡フレームを装用していない状態において、本装置が利用されてもよい。例えば、遠方視と近方視における瞳孔位置の変化をモニタリングするために用いられても良い。本装置１は、例えば、正面画像６２０及び側方画像に基づいて眼鏡装用パラメータを測定してもよい。
【００１２】
表示制御手段は、正面撮像光学系によって撮像された正面画像６２０と、側方撮像光学系５００によって撮像された側方画像と、を表示部１５に表示してもよい。表示部１５に表示される正面画像６２０、側方画像は、生画像であってもよいし、画像処理（例えば、ノイズ除去処理）が施された画像であってもよい。表示制御手段は、正面画像、側方画像を並列して同時に表示してもよい。また、制御部は、正面画像、側方画像を別タイミングで表示してもよい。
【００１３】
＜倍率補正手段＞
なお、本装置１は、倍率補正手段（例えば、制御部７０）を備える（図１参照）。倍率補正手段は、表示部１５に表示される正面画像６２０と側方画像との間の縮尺が撮像距離の変更に関わらず等しくなるように、正面画像６２０と側方画像の少なくともいずれかの倍率を撮像距離の変化に応じて補正してもよい（図５参照）。
【００１４】
なお、倍率補正手段は、被検者に対する正面撮像光学系の撮像距離が変更される場合であっても、側方画像と、撮像距離が変更された後に表示される正面画像６２０との縮尺が等しくなるように、撮像距離が変更された後に正面撮像光学系によって撮像された正面画像の倍率を補正すると共に、側方画像の倍率を維持してもよい。正面画像と側方画像とを同じ縮尺で表示する場合、完全に同一の縮尺とする必要は必ずしもなく、検者が同一の縮尺とみなせる程度であればよい。
【００１５】
なお、撮像光学系は、撮像距離が異なる少なくとも２つの正面画像を撮像可能であってもよい。例えば、倍率補正手段は、被検者に対する正面撮像光学系の撮像距離が変更される場合において、第１の正面画像（予め表示された正面画像６２０）と、第２の正面画像（撮像距離が変更された後に表示される正面画像６２０である）との縮尺が等しくなるように、撮像距離が変更された後に正面撮像光学系によって撮像された正面画像６２０の倍率を補正してもよい。
【００１６】
なお、正面画像６２０と側方画像を表示する場合、表示制御手段は、撮像距離の変更前に予め取得された側方画像を表示しても良いし、撮像距離の変更後に取得された側方画像を表示してもよい。また、正面画像６２０と側方画像を表示する場合、制御部は、正面画像及び側方画像の少なくともいずれかは、静止画像であってもよい。また、正面画像と側方画像を表示する場合、制御部は、正面画像及び側方画像の少なくともいずれかは、動画像であってもよい。
【００１７】
なお、例えば、倍率補正手段は、被検者に対する正面撮像光学系の撮像距離が変更される場合において、側方画像と、撮像距離が変更された後に表示される正面画像との縮尺が等しくなるように、撮像距離が変更された後に正面撮像光学系によって撮像された正面画像の倍率を補正してもよい。画像の倍率を補正する場合、画像の撮影倍率を補正してもよいし、画像の表示倍率を補正してもよい。
【００１８】
＜固視標呈示光学系＞
なお、本装置１は、固視標呈示光学系（例えば、固視標投影光学系２００ａ，３００ａ）をさらに備えてもよい（図２参照）。固視標呈示光学系は、被検者を固視させるための固視標（例えば、光源２２０，３２０など）を備え、被検者に対する固視標の呈示距離を変更可能である。
【００１９】
正面撮像光学系は、呈示距離の変更に応じて撮像距離を変更可能であってもよい。また、正面撮像光学系は、例えば、絞り（例えば、絞り２１４，３１４）を介して正面画像６２０を撮像してもよい。
【００２０】
なお、固視標呈示光学系は、前記正面撮像光学系と光路の一部を共用してもよい。固視標呈示光学系は、被検眼に対する固視標の光学的な呈示距離を、遠方と近方との間で切り換えてもよいし、近方での呈示距離を変更してもよい。この場合、被検眼に対する固視標の光学的な呈示距離と、被検眼に対する撮像光学系の撮像距離は、一対の関係にあるので、倍率補正手段は、被検眼に対する撮像光学系の撮像距離に応じた倍率補正として、被検眼に対する固視標の光学的な呈示距離に応じた倍率補正を行うようにしてもよい。
【００２１】
＜距離可変ユニット＞
正面撮像光学系は、距離可変ユニット（例えば、光学系移動ユニット３５０）を備えてもよい。距離可変ユニットは、呈示距離が変更された場合において、被検眼に対する固視標の光学的な呈示距離と、被検眼に対する絞りの光学的な距離が等しくなるように、被検眼に対する絞りの光学的な距離を変更してもよい。被検眼に対する固視標の光学的な呈示距離と、被検眼に対する絞りの光学的な距離とが同一に調整されるので、例えば、眼鏡レンズ上の視線が通過する位置を求める際の補正計算の必要が必ずしもなくなる。
【００２２】
なお、被検眼に対する固視標の光学的な呈示距離は、固視標呈示光学系の少なくとも一部の光学部材を移動させることによって調整される。被検眼に対する絞りの光学的な距離は、撮像光学系の少なくとも一部の光学部材を移動させることによって調整される。
【００２３】
正面撮像光学系は、例えば、被検者に対する撮像距離（例えば、眼から撮像素子までの光学的な距離）を変更可能であってよい。さらに、正面撮像光学系は、被検眼に対する固視標の光学的な呈示距離の変更に応じて被検者に対する撮像距離を変更してもよい。
【００２４】
＜表示レイアウトについて＞
なお、表示制御手段は、正面画像６２０及び右側方画像６２２及び左側方画像６２１を表示部１５に同時に表示してもよい（図５参照）。表示部１５は、一つ又は複数であってもよい。
【００２５】
また、表示制御手段は、表示部１５の同一画面上において、正面画像６２０の右側に左側方画像６２１を表示させ、正面画像６２０の左側に被検者の右側方画像６２２を表示させてもよい。
【００２６】
また、例えば、表示制御手段は、正面画像６２０の表示領域における中心位置を基準として、左側方画像６２１の表示領域と、右側方画像６２２の表示領域とを左右対称に配置してもよい。
【００２７】
＜反転処理手段＞
なお、本装置１は、反転処理手段を備えてもよい。反転処理手段は、例えば、ミラー（例えば、ミラー５３０Ｌ，５３０）を介して撮像する側方撮像光学系５００によって撮像された右側方画像６２２及び左側方画像６２１をそれぞれ左右反転して表示部１５に表示してもよい。
【００２８】
反転処理手段として、例えば、撮像信号を反転して出力する撮像素子を用いてもよいし、表示制御手段での画像処理によって反転してもよい。
【００２９】
＜対応表示＞
なお、本装置１は、位置情報検出手段（例えば、制御部７０）を備えてもよい（図１，４参照）。位置情報検出手段は、被検者の眼又は眼鏡に関する位置を規定するための位置情報を、正面画像６２０、側方画像の一方の画像（第１画像ともいえる）に基づいて検出してもよい（図５参照）。なお、眼鏡とは、例えば、眼鏡フレーム及びレンズを含まれる。正面画像６２０及び側方画像は、例えば、眼鏡フレームＦ及び被検眼を含む。
【００３０】
この場合、表示制御手段は、位置情報検出手段によって検出された位置情報に基づいて、正面画像６２０、側方画像６２１，６２２の他方の画像（第２画像ともいえる）の表示領域に対し、位置情報に対応する対応表示（例えば、水平線Ｉｈ１と水平線Ｉｈ３、フレーム下端線Ｆｈ１とフレーム下端線Ｆｈ３など）を行ってもよい。
【００３１】
例えば、位置情報検出手段は、正面画像６２０に基づいて被検者の眼又は眼鏡に関する位置を規定するための位置情報を検出してもよい。そして、表示制御手段は、検出した位置情報に基づいて、側方画像の表示領域に対し、位置情報に対応する対応表示を行ってもよい。もちろん、逆の場合でもよい。
【００３２】
また、他方の画像の表示領域に対して表示された対応表示を第１対応表示とすると、表示制御手段は、正面画像６２０、側方画像の一方の画像の表示領域に対し、位置情報に対応する第２の対応表示を行ってもよい。例えば、表示制御手段は、対応する画像の両方に対応表示を行ってもよい。
【００３３】
なお、本装置１は、指示受付手段を備えてもよい。指示受付手段は、検者の指示を受付ける。位置検出手段は、指示受付手段からの指示信号に基づいて位置情報を検出してもよい。
【００３４】
位置情報検出手段は、例えば、正面画像６２０又は側方画像の一方に対する画像処理によって被検者の眼又は眼鏡に関する位置を規定するための位置情報を検出してもよい。また、位置情報検出手段は、例えば、正面画像６２０又は側方画像の少なくとも一方に対する検者からの指示信号を受け付けることによって、被検者の眼又は眼鏡に関する位置情報を検出してもよい。なお、位置情報検出手段は、これらを併用してよい。または、画像処理による位置検出結果が、検者からの指示信号に基づいて調整されてもよい。
【００３５】
位置情報検出手段は、位置情報を検出する場合、一方の画像を含む両方の画像に基づいて位置情報を検出してもよい。例えば、両画像における平均位置が検出され、その結果が他方の画像に重ねて表示されてもよい。
【００３６】
他方の画像の表示領域に対する位置情報の表示方法としては、例えば、他方の画像の対応位置へのマーキング表示であってもよい。また、他方の画像の対応位置と、他の位置とが異なる表示形態（例えば、異なる色、異なる階調等）で表示されても良い。
【００３７】
また、他方の画像の表示領域上に位置情報が表示されてもよい。また、他方の画像の表示領域の近傍に位置情報が表示され、その位置情報に一致させるために他方の画像上で移動可能なラインが電子的に表示されてもよい。
【００３８】
なお、表示制御手段は、正面画像６２０において、第１の指標（例えば、水平線Ｉｈ１、フレーム下端線Ｆｈ１など）を表示すると共に、側方画像において、第１の指標の高さに対応する第２の指標（例えば、水平線Ｉｈ３、フレーム下端線Ｆｈ３など）を表示してもよい。この場合、位置情報検出手段は、第１の指標、第２の指標の一方を移動させるための指示受付手段からの指示信号に基づいて位置情報を検出してもよい。
【００３９】
また、このとき、表示制御手段は、位置情報の検出結果に基づいて、第１の指標、第２の指標の他方を同期して移動させることによって、正面画像６２０、側方画像の他方の画像の表示領域に対する対応表示の表示位置を変更してもよい。指標には、点、線、領域などが用いられてもよい。
【００４０】
同期表示としては、例えば、一方の指標の移動と同時に、他方の指標が連動して移動されるような表示制御であってもよい。同期表示としては、例えば、一方の画像上の一点がクリックされたときに、他方の画像の指標が移動されるような表示制御であってもよい。
【００４１】
なお、本装置１は、位置情報が表示された他方の画像の表示領域に対する指示受付手段からの指示信号に基づいて、他方の画像での被検者の眼又は眼鏡に関する位置を規定するための位置情報を検出する第２位置情報検出手段を備えてもよい。
【００４２】
＜実施形態＞
図１は、本実施例に係る眼鏡適合用画像解析装置１の外観の概略構成図である。図２は、本実施例に係る眼鏡適合用画像解析装置１に収納される光学系の概略構成図である。以下、図１及び図２を参照して、本実施例に係る眼鏡適合用画像解析装置１の構成について説明する。図１に示されるように、眼鏡適合用画像解析装置の装置本体３の内部には、後述する種々の測定光学系、駆動系、制御系等が備わる。装置本体３の被検者側には呈示窓５が備わる。呈示窓６は、被検者に固視標を呈示する際に、固視光束を通過させる窓である。同じく装置本体３の被検者側には顔支持ユニット５が備わる。顔支持ユニット５は、被検者の顔を支持するためのユニットである。装置本体３の検者側には操作ユニット（操作部）１０が備わる。
【００４３】
＜操作ユニット＞
操作ユニット１０は、入力された操作指示に応じた信号を後述する制御部７０に出力する。本実施例における操作ユニット１０は、タッチパネル式の表示部１５が用いられる。すなわち、本実施例においては、操作ユニットと表示部が兼用される。もちろん、操作ユニットと表示部が別に設けられた構成であってもよい。例えば、操作ユニット１０には、マウス、ジョイスティック、キーボード等の操作手段の少なくともいずれかを用いる構成が挙げられる。例えば、表示部１５は、眼鏡装用パラメータ測定装置１の本体に搭載されたディスプレイであってもよいし、本体に接続されたディスプレイであってもよい。もちろん、タッチパネル式でなくともよい。例えば、パーソナルコンピュータ（以下、「ＰＣ」という。）のディスプレイを用いてもよい。また、例えば、複数のディスプレイが併用されてもよい。表示部１５には、撮影された遠方視及び近方視状態の正面画像又は側方画像を含む各種画像、及び解析結果が表示されてもよい。
【００４４】
＜顔支持ユニット＞
顔支持ユニット５は、被検者の額を支持する。そして、顔支持ユニット５は、後述する測定光学系（例えば、遠用測定光学系２００，近用測定光学系３００，反射ミラー４１０等）と被検者との距離を一定にする。また、顔支持ユニット５は、被検者の左右方向に回転可能であり、被検者の顔の向きを調整することができる。これによって、被検者の顔の向きが左右方向のいずれかにずれている場合、被検者の顔が正面を向くように、顔支持ユニット３０を回転させることができる。
【００４５】
顔支持ユニット５は、当節部３１、作動距離調節部４０、左右回転調節部５０を主に備える。当接部３１は、被検者の顔に接触する部分である。作動距離調節部４０は、被検者と後述の測定光学系との距離を調節するために当接部３１の位置をＺ軸方向に調節する。例えば、本実施例において、検者によって作動距離調節部４０の調節ノブ４１が操作されることによって、当接部３１のＺ軸方向（作動距離方向）における位置が調節される。水平回旋調節部５０は、被検者の顔が正面を向くように、当接部３１の左右方向の角度を調節する。例えば、本実施例において、検者によって左右回転調整部５０の調節ノブ５１が操作されることによって、当接部３１の左右方向の角度が調節される。
【００４６】
なお、顔支持ユニット５は本実施形態の構成に限定されない。本実施例においては、被検者の額を支持するものとして説明したが、被検者のあごでもよいし、頬、鼻などでもよい。被検者の顔を支持する構成であればよい。また、本実施例において、顔支持ユニット５は、検者が調節ノブ４１，５１を操作することによって、当接部３１の位置が調節される構成としたがこれに限定されない。顔支持ユニット５は、モータ等の駆動部を有し、操作ユニット１０の操作等によって、電動で当接部３１の位置が調整される構成としてもよい。
【００４７】
＜光学系＞
次に、図２を参照して、本実施例に係る眼鏡適合用画像解析装置１に収納される光学系について説明する。本実施例の眼鏡適合用画像解析装置１は、照明光学系１１０、遠用測定光学系２００、近用測定光学系３００、光路切換ユニット４００と、側方撮像光学系５００、を主に備える。
【００４８】
本実施例において、遠用測定光学系２００、近用測定光学系３００、被検者の正面画像を撮影するために用いられる。また、側方撮像光学系５００は、被検者の側方画像を撮影するために用いられる。
【００４９】
＜照明光学系＞
照明光学系１１０は、４つの光源１１０Ｒ，１１０Ｌ，１１１Ｒ，１１１Ｌ（図２では、１１０Ｌ、１１１Ｌを省略）を主に備える。照明光学系１１０は、光源１１０Ｒ，１１０Ｌ，１１１Ｒ，１１１Ｌによって、四方向から被検者の顔を照明する。もちろん、照明光学系１１０は上記の構成に限らない。光源の数はいくつでもよく、配置も任意でよい。照明光学系１１０は、光源によって被検者の顔を照明することができればよい。例えば、照明光学系１１０は、顔支持ユニット５の下部、呈示窓６の上部に設けられてもよい。
【００５０】
なお、本実施例の照明光学系１１０においては、赤外光源を用いる。赤外光源と、後述する赤外フィルタ等を用いることによって、外乱光（自然光など）の影響を抑えることができる。ただし、赤外光源でなくてもよく、可視光源を用いてもよい。
【００５１】
＜遠用測定光学系＞
図２に基づいて、遠用測定光学系（以下、第１測定光学系とも言う）２００について説明する。遠用測定光学系２００は、眼鏡フレームに対する遠方視状態における被検眼Ｅの眼位置を測定するための光学系である。遠用測定光学系２００は、第１の固視標投影光学系２００ａと第１の撮像光学系２００ｂに分けられる。なお、遠用測定光学系２００の測定光軸を光軸Ｌ１とする。
【００５２】
固視標投影光学系２００ａは、被検者を遠方視状態に固視させるための遠用固視標を被検眼Ｅに投影する。固視標投影光学系２００ａは、光源２２０、ハーフミラー２３０、凹面ミラー２４０を主に備える。光源２２０は、被検眼Ｅに投影される固視標として機能する。凹面ミラー２４０は、光源２２０から出射される固視標光束を略平行光束にして反射する（又は所定の遠用呈示距離になるように反射する）。
【００５３】
光源２２０からの出射された固視標光束は、ハーフミラー２３０によって反射され、後述する被検者からの反射光束と同軸にされる。ハーフミラー２３０によって反射された固視標光束は、凹面ミラー２４０によって反射される。凹面ミラー２４０に反射された固視標光束は、後述する反射ミラー４１０によって反射され、呈示窓６を通過して被検眼Ｅに入射する。凹面ミラー２４０は、固視標光束を略平行光束にするように反射する（又は所定の遠用呈示距離になるように反射する）。このため、被検者から見た固視標は、被検眼Ｅから光源２２０までの実際の距離よりも遠方にあるように見える。その後、固視標光束は、後述の反射ミラー４１０によって反射され、呈示窓６を通過して被検眼Ｅに入射する。
【００５４】
撮像光学系２００ｂは、遠方視状態における被検者の顔を正面方向から撮影する。なお、被検者の顔とは、被検者の顔全体でなくてもよく、少なくとも被検眼Ｅの周辺領域（例えば、少なくとも左右眼及び眼鏡フレームを含む被検者の顔の正面画像であってもよい）を指す。撮像光学系２００ｂは、撮像素子２１０、撮像レンズ２１２、絞り２１４、赤外フィルタ２１６、ハーフミラー２３０、凹面ミラー２４０を主に備える。
【００５５】
照明光学系１１０からの照明光は、被検者の顔によって反射されて、呈示窓６を通過する。呈示窓６を通過した照明光は、反射ミラー４１０によって反射される。反射ミラー４１０によって反射された反射光は、凹面ミラー２４０によって反射された後、ハーフミラー２３０を通り、赤外フィルタ２１６を通過する。赤外フィルタ２１６を通過した赤外光は、絞り２１４を通過し、撮像レンズ２１２によって収束された後、撮像素子２１０の上に像を結ぶ。撮像素子２１０は瞳と共役な位置関係にある。撮像素子２１０は、光を検出し、そのときの検出信号を制御部７０に出力する。
【００５６】
＜近用測定光学系＞
近用測定光学系（以下、第２測定光学系とも言う）３００は、近方視状態における被検眼Ｅの眼位置を測定するための光学系である。近用測定光学系３００は、第２の固視標投影光学系３００ａと第２の撮像光学系３００ｂに分けられる。
【００５７】
固視標投影光学系３００ａは、被検者を近方視状態に固視させるための近用固視標を被検眼Ｅに投影する。固視標投影光学系３００ａは、光源３２０、ハーフミラー３３０、凸レンズ３４０を主に備える。光源３２０は、被検眼Ｅに投影される固視標として機能する。
【００５８】
光源３２０からの出射された固視標光束は、ハーフミラー３３０によって反射され、光軸Ｌ２と同軸とされる。ハーフミラー３３０によって反射された固視標光束は、凸レンズ３４０を通過し、収束される。その後、固視標光束は、後述の反射ミラー４１０によって反射され、呈示窓２０を通過して被検眼Ｅに入射する。
【００５９】
撮像光学系３００ｂは、近方視状態における被検者の顔を正面方向から撮影する。撮像光学系３００ｂは、撮像素子３１０、撮像レンズ３１２、絞り３１４、赤外フィルタ３１６、ハーフミラー３３０、凸レンズ３４０を主に備える。
【００６０】
被検者の顔を照明する照明光学系１１０からの照明光は、呈示窓６を通過し、反射ミラー４１０によって反射される。反射ミラー４１０によって反射された反射光は凸レンズを通過し、収束される。収束されたこの光束は、ハーフミラー３３０を通り、赤外フィルタ３１６を通過する。赤外フィルタ３１６を通過した赤外光は、絞り３１４を通過し、撮像レンズ３１２によって収束された後、撮像素子３１０の上に像を結ぶ。撮像素子３１０は、瞳と共役な位置関係にある。撮像素子３１０は、光を検出し、そのときの検出信号を制御部７０に出力する。
【００６１】
＜光学系移動ユニット＞
近用測定光学系３００は、光学系移動ユニット３５０を備える。光学系移動ユニット３５０は、近用測定光学系３００を移動可能に保持する。光学系移動ユニット３５０は、近用測定のときに、後述する反射ミラー４１０の角度の変更にともなって、近用測定光学系３００の全体を移動させることができる。
【００６２】
ところで、後述する光路切換ユニット４００によって反射ミラー４１０の角度が変更されると、固視標投影光学系３００ａの光路（指標の呈示距離）、及び第２の撮像光学系３００ｂの光路が変化してしまう。そこで、本実施形態の光学系移動ユニット３５０は、反射ミラー４１０の角度の変更にともなって、近用測定光学系３００の全体を移動させる。これによって、反射ミラー４１０の角度が変更された場合であっても、近用視標の呈示距離が維持される。また、第２の撮像光学系３００ｂの被検眼Ｅに対するフォーカス状態が維持される。
【００６３】
また、光学系移動ユニット３５０は、呈示距離を調節するための凸レンズ３４０と、固視標を投影するための光源３２０を別々に移動させることが可能である。これによって、光学系移動ユニット３５０は、凸レンズ３４０と光源３２０の相対的な距離を変化させ、固視標の呈示距離を変更することができる。なお、光学系移動ユニット３５０は、例えば、モータや等の図示無き駆動部を用いて、駆動部を駆動させることによって、光学部材を移動させる。
【００６４】
＜光路切換ユニット＞
図２に戻って、光路切換ユニット４００について説明する。光路切換ユニットは、遠用測定用光学系２００と、近用測定用光学系３００の光路を切り換える。また、光路切り換えユニット４００は、近用測定時における被検者の視線方向を変化させる。
【００６５】
光路切換ユニット４００は、反射ミラー４１０、ミラー保持部４２０、駆動部４４０を主に備える。
【００６６】
反射ミラー４１０は、ミラー保持部４２０に保持される。ミラー保持部４２０の上部は、装置に固定された回転シャフト４２５に保持される。ミラー保持部４２０は、回転シャフト４２５の回転軸を中心に回旋可能とされる。このとき、ミラー保持部４２０は、反射ミラー４１０と一体的に回旋される。反射ミラー４１０は、遠用測定光学系２００または近用測定光学系３００から出射される視標光束を被検眼Ｅに向けて反射させる。駆動部４４０は、図示無きリンク機構部によって、ミラー保持部４２０の裏面と連結される。駆動部４４０が駆動されることによって、駆動部の駆動力が図示無きリンク機構部を介して、ミラー保持部４２０に伝達される。ミラー保持部４２０は、リンク機構部４３０から伝達された駆動力によって回転シャフト４２５を中心に回旋される。ミラー保持部が回旋されることによって、回転シャフト４２５を中心に、反射ミラー４１０が回旋移動をする。
【００６７】
反射ミラー４２０が回旋されることによって、視標光束の光路が変更され、被検眼Ｅに投影される固視標の呈示位置が変更される。固視標の呈示位置が変更されることで、被検者の視線方向が変更される。例えば、反射ミラーをＡ方向に回転させる（実線部から点線部へ移動される）ことによって、被検者の撮影を行うための光路が、遠用測定用光学系２００の光路から近用測定用光学系３００の光路へと切り換えられる。このように、光路切換ユニット４００は、反射ミラー４１０を回旋させることで固視標の呈示位置を変化させ、被検者の視線方向を上下方向に変化させる。
【００６８】
＜側方撮像光学系＞
図３は、側方撮像光学系５００の概略構成図を示している。側方撮像光学系５００は、被検者を側方から撮影することによって被検者の側方画像を取得する。図３に示されるように、側方撮像光学系５００は、被検者の顔が支持される位置の左右方向に固定されている。
【００６９】
本実施例の側方撮像光学系５００は、被検者の左側に配置される左方撮像光学系５００Ｌと、被検者の右側に配置される右方撮像光学系５００Ｒに大別される。左方撮像光学系５００Ｌは被検者を左側方から撮影する。右方撮像光学系５００Ｒは、被検者を右側方から撮影する。
【００７０】
左方撮像光学系５００Ｌは、ミラー５３０Ｌ、赤外フィルタ５４０Ｌ、絞り５５０Ｌ、撮像レンズ５６０Ｌ、撮像素子５７０Ｌ、を主に備える。
【００７１】
同様に、右方撮像光学系５００Ｒは、ミラー５３０Ｒ、赤外フィルタ５４０Ｒ、絞り５５０Ｒ、撮像レンズ５６０Ｒ、撮像素子５７０Ｒ、を主に備える。なお、以下の説明においては、便宜上、赤外フィルタ５４０Ｌ，５４０Ｒ、絞り５５０Ｌ，５５０Ｒ、撮像レンズ５６０Ｌ，５６０Ｒ、撮像素子５７０Ｌ，５７０Ｒの各部材をまとめて、撮像部５７５Ｌ，５７５Ｒと記載する。
【００７２】
赤外フィルタ５４０Ｌ，５４０Ｒは可視光を吸収し、赤外光を通過させる。撮像素子５７０Ｌ，５７０Ｒには、赤外フィルタ５４０Ｌ，５４０Ｒを通過した赤外光が受光される。
【００７３】
なお、本実施例における調節光源５９０Ｌ，５９０Ｒには、赤外光源が用いられる。赤外光源と赤外フィルタを用いることによって、撮像レンズ等が外乱光によって照明され、側方画像に写ることを防ぐことができる。しかし、必ずしも赤外光源を用いる必要はない。可視光源等を用いてもよい。この場合、赤外フィルタは不要となる。
【００７４】
以下、左方撮像光学系５００Ｌを例に挙げて側方画像の撮像について説明する。照明光学系１１０からの照明光束は、被検者の顔と眼鏡フレームＦに反射される。反射された照明光束は、左方撮像光学系５００Ｌに入射する。その後、照明光束は、ミラー５３０Ｌによって反射される。ミラー５３０Ｌによって反射された反射光束は、赤外フィルタ５４０Ｌを通過する。赤外フィルタ５４０Ｌを通過した赤外光は、絞り５５０Ｌを通過した後、撮像レンズ５６０Ｌによって集光され、撮像素子５７０Ｌの撮像面上に像を結ぶ。撮像素子５７０Ｌは、検出した撮像画像を制御部７０に送信する。このようにして、撮像素子５７０Ｌは、被検者の左側の側方画像が撮像される。また、左方撮像光学系５００Ｌと同様にして、右方撮像光学系５００Ｒによって、被検者の右側の側方画像が撮像される。
【００７５】
なお、本実施形態の左右の側方撮像光学系５００Ｌ，５００Ｒの測定光軸は、遠用測定光学系２００の測定光軸Ｌ１と、Ｙ軸方向の高さが一致するように設定されている。
【００７６】
＜制御部＞
図４は本実施例の制御系を示すブロック図である。制御部７０は、ＣＰＵ（プロセッサ）、ＲＡＭ、ＲＯＭ等を備える。制御部７０のＣＰＵは、眼鏡適合用画像解析装置１の制御を司る。ＲＡＭは、各種情報を一時的に記憶する。制御部７０のＲＯＭには、眼鏡適合用画像解析装置１の動作を制御するための各種プログラム、初期値等が記憶されている。
【００７７】
制御部７０には、不揮発性メモリ（以下、メモリに省略する）７２、操作ユニット１０、光源１１０Ｌ，１１０Ｒ，１１１Ｌ，１１０Ｒ，２２０，３２０、撮像素子２１０，３１０，５７０Ｌ，５７０Ｒ、光学系移動ユニット３５０の駆動部、駆動部４４０、等が電気的に接続されている。
【００７８】
メモリ７２は、電源の供給が遮断されても記憶内容を保持できる非一過性の記憶媒体である。例えば、ハードディスクドライブ、フラッシュＲＯＭ、および、眼鏡適合用画像解析装置１に着脱可能に装着されるＵＳＢメモリ等をメモリ７２として使用することができる。メモリ７２には、眼鏡適合用画像解析装置１による遠方視画像又は近方視画像、側方画像の撮影を制御するための撮影制御プログラム、遠方視画像又は近方視画像、側方画像を処理する画像処理プログラムが記憶されている。また、メモリ７２には、撮影された遠方視画像又は近方視画像、側方画像の撮影位置の情報等、撮影に関する各種情報が記憶される。操作ユニット１０には、検者による各種操作指示が入力される。
【００７９】
＜正面画像の自動解析方法＞
以下、自動解析方法の一例を簡単に説明する。制御部７０は、画像処理によって正面画像より、瞳孔情報（例えば、瞳孔位置、瞳孔径等）およびフレーム情報（例えば、フレームの幅、フレーム位置等）を検出する。そして、制御部７０は、検出結果に基づいて、各種眼鏡装用パラメータを測定する。眼鏡装用パラメータとは、例えば、瞳孔間距離、アイポジション高さである。ここで、アイポジション高さとは、眼鏡レンズ面の底部から瞳孔までの高さとする。
【００８０】
＜側方画像の自動解析方法＞
また、制御部７０は、画像処理によって側方画像より眼鏡装用パラメータ（例えば、前傾角）を検出してもよい。
【００８１】
本実施形態では、前傾角は、レンズの光軸と、第１眼位にある眼の視軸（通常、水平方向にある）との垂直面内の角度として規定される。例えば、フレーム上の少なくとも２点を結び、これをレンズ面の傾きと仮定し、前傾角を求める。この２点は、制御部７０によって自動で検出されてもよいし、検者によって手動で任意に指定されてもよい。
【００８２】
＜表示部への出力＞
画像の解析が終了すると、制御部７０は、撮影画像、及び解析によって得られたパラメータ等を表示部１５に表示させる（図５参照）。なお、制御部７０は、各種制御処理を司るプロセッサ（例えば、ＣＰＵ）と、解析プログラムを記憶する記憶媒体とを備える。プロセッサは、解析プログラムに従って、以下説明する処理を実行する。
【００８３】
図５のように、例えば、制御部７０は、解析に用いた撮影画像を表示する。撮影画像として、例えば、正面画像６２０と、左側方画像６２１と、右側方画像６２２等の撮影画像が表示される。正面画像６２０と、左側方画像６２１と、右側方画像６２２には、例えば、被検眼、眼鏡フレームがそれぞれ含まれる。
【００８４】
正面画像６２０は、遠用測定光学系２００の撮像素子２１０、または近用測定光学系３００の撮像素子３１０によって撮像された被検者の顔の正面画像である。正面画像６２０は、例えば、被検者の両眼、及び眼鏡フレームの正面画像が含まれる。
【００８５】
左側方画像６２１は、側方撮像光学系５００Ｌによって撮像された被検者の顔の左側方画像（側面画像）である。逆にいえば、左側方画像６２１は、被検者と対面する検者にとって右手方向から被検者を見たときの画像である。左側方画像６２１には、被検者の左眼、及び眼鏡フレームの左側方画像が含まれる。
【００８６】
右側方画像６２２は、側方撮像光学系５００Ｒによって撮像された被検者の顔の右側方画像（側面画像）である。逆にいえば、右側方画像６２２は、被検者と対面する検者の左手方向から被検者を見たときの画像である。右側方画像６２２には、被検者の右眼、及び眼鏡フレームの右側方画像が含まれる。
【００８７】
左側方画像６２１は、表示部１５に表示された正面画像６２０の右側に表示される。つまり、左側方画像６２１は、検者が表示部１５の表示画面を見た場合、正面画像に対して右側に形成される。右側方画像６２２は、表示部１５に表示された正面画像６２０の左側に表示される。つまり、右側方画像６２２は、検者が表示部１５の表示画面を見た場合、正面画像に対して左側に形成される。
【００８８】
なお、前述のように、本実施形態の遠用測定光学系２００の測定光軸Ｌ１と、左右の側方撮像光学系５００Ｌ，５００Ｒの測定光軸は、Ｙ軸方向の高さが一致している。制御部７０は、正面画像６２０及び左右の側方画像６２１，６２２を表示する際、各画像上における各光学系の測定光軸に対応する位置が一致するように、各画像の高さを一致させてもよい。結果として、例えば、正面画像６２０に写った角膜頂点の位置と、側方画像６２１，６２２に写った角膜頂点の位置は、画面上に同じ高さで表示される。
【００８９】
このように、本実施形態の表示部１５には、被検者の正面画像６２０及び左右の側方画像６２１，６２２が三面投影図のように表示される。ここで、三面投影図とは、正面図に描かれた物体を左から投影した図を正面図の左側に、右から投影した図を正面図の右側に配置した図を示すこととする。つまり、本実施形態においては、対面した被検者の顔を左から見た様子が、正面画像６２０の左側に同じ高さで表示される。同様に、対面した被検者の顔を右から見た様子が、正面画像６２０の右側に同じ高さで表示される。
【００９０】
本実施形態のように、左右の側方画像６２１，６２２が表示されていることによって、被検者の顔が左右方向に振れているかどうか容易に観察できる。例えば、本実施形態において、被検者の顔が正面を向いている場合、左右の側方画像６２１，６２２は、正面画像６２０を中心として左右対称的な位置に表示される。一方、左右の側方画像６２１，６２２が正面画像６２０を中心として左右非対称的な位置に表示されている場合、検者は、被検者の顔が左右方向に振れていることが確認できる。
【００９１】
このような場合、左右の側方画像６２１，６２２が正面画像６２０を中心として左右対称的になるように顔支持ユニット５を調節することによって、被検者の顔の振れを調整することができる。仮に、側方画像６２１，６２２が左右どちらか一方だけ表示されている場合は、側方画像を観察しても、顔支持ユニット５の調節具合を判断することは難しい。
【００９２】
また、左右の側方画像６２１，６２２が表示されていることによって、後述のように、前傾角や眼鏡装用距離等を測定することができる。
【００９３】
なお、制御部７０は、解析によって取得した解析結果（眼球回旋中心位置）を左右の側方画像６２１，６２２に表示させてもよい。例えば、眼球回旋中心は、正面画像６２０に表示するよりも、側方画像６２１、６２２に表示した方が、眼球がどこを中心に回転するのか分かり易い。また、被検者の視線方向をシミュレートしやすい。
【００９４】
なお、正面画像６２０及び左右の側方画像６２１，６２２が同時に表示されることによる他の側面としては、以下の点が挙げられる。
【００９５】
例えば、本実施形態の本装置１において、検者は、正面と左右の３方向から見た被検者の様子を一度に観察することができる。従って、正面画像６２０及び左右の側方画像６２１，６２２を同時に観察でき、被検者の正面と側面の関係が確認しやすい。
【００９６】
また、眼鏡のフィッティングを行うとき、例えば、左側のフレームＦの位置を動かした場合、右側のフレームの位置も変化する。従って、側方画像６２１，６２２が左右の一方しか表示されていない場合、左右の関係を観察することができず、眼鏡のフィッティングが上手くいかない可能性がある。これに比べ、正面画像６２０及び左右の側方画像６２１，６２２が表示されている場合は、左右方向の関係を見ながら調整でき、作業が容易になる。
【００９７】
また、正面画像６２０と側方画像６２１，６２２が同一の高さに表示されていることで、各画像の高さの関係が把握し易くなる。例えば、正面画像６２０における瞳孔位置の高さを目安に、側方画像６２１，６２２における瞳孔位置を求めることができる。
【００９８】
なお、本実施形態の側方撮像光学系のように、例えば、１枚の反射部材（例えば、ハーフミラー３３０）を介してカメラ（例えば、撮像素子５７０Ｌ，５７０Ｒ）で撮影すると、撮影された画像が反転して見える。なお、反射部材は１枚に限らず、奇数枚の反射部材を介してカメラで撮影すると、撮影された画像が反転して見える。
【００９９】
このような場合、制御部７０は、撮影した画像を三面投影図のように表示するため、撮像された画像を画像処理によって左右反転してもよい。例えば、制御部７０は、側方撮像光学系５００Ｌによって撮影された左側方画像６２１を画像処理によって左右反転させて表示部１５に表示させてもよい。同様に、制御部７０は、側方撮像光学系５００Ｒによって撮影された右側方画像６２２を左右反転させて表示部１５に表示させてもよい。
【０１００】
撮影された画像を反転させることによって、被検者を実際に観察したときの様子と、画面上に表示されたときの様子を一致させることができる。これによって、左右のどちら側を撮影した側方画像なのか混乱することを抑制できる。また、側方画像６２１，６２２を参考にフィッティングを行う場合などに、画像の反転を考慮する手間が省ける。
【０１０１】
本実施形態において、制御部７０は、左右の側方画像６２１，６２２の縮尺と、正面画像６２０の縮尺が等しくなるように倍率補正を行う。例えば、制御部７０は、正面画像６２０の縮尺が左右の側方画像６２１，６２２の縮尺に一致するように、正面画像６２０の倍率を制御してもよい。制御部７０は、左右の側方画像６２１，６２２の縮尺が正面画像６２０の縮尺に一致するように、側方画像６２１，６２２の倍率を制御してもよい。また、制御部７０は、左右の側方画像６２１，６２２の縮尺と正面画像６２０の縮尺に一致するように、正面画像６２０の倍率と、側方画像６２１，６２２の倍率と、をそれぞれ制御してもよい。
【０１０２】
＜倍率補正の方法について＞
倍率補正を行う方法を説明する。例えば、予め各撮像光学系２００ｂ，３００ｂ，５００の設計データから撮影倍率を求めておく。そして、撮像倍率によって生じる縮尺の差がなくなるように、各画像の倍率を画像処理によって変更して表示する。
【０１０３】
例えば、側方撮像光学系５００の撮像倍率が４分の１倍であり、撮像光学系２００ｂの撮像倍率が２分の１倍であったとする。このとき、制御部７０は、正面画像６２０を２分の１倍に縮小させて表示部１５に表示させる。こうすることで、正面画像６２０と左右の側方画像６２１，６２２の縮尺が等しくなる。
【０１０４】
以上のように、正面画像６２０と側方画像６２１，６２２とが同じ倍率で表示されることによって、画像の解析結果をわかりやすく表示できる。また、各画像を違和感なく表示させることができる。
【０１０５】
＜対応表示について＞
本実施形態において、制御部７０は、表示部１５に正面画像６２０及び左右の側方画像６２１，６２２を表示させ、各画像に解析結果を重畳表示させる。ここで、制御部７０は、正面画像６２０と、側方画像６２１（側方画像６２２）の一方の画像によって得られた位置情報を、正面画像６２０と、側方画像６２１（側方画像６２２）の他方の画像に重畳して表示してもよい。なお、正面画像６２０における座標位置と、側方画像６２１（側方画像６２２）における座標位置は、予め対応付けされている。つまり、正面画像６２０と側方画像６２１（側方画像６２２）は、位置的な対応関係が設定されている。
【０１０６】
例えば、正面画像６２０上において瞳孔位置が検出された場合、制御部７０は、その対応関係を用いて、正面画像６２０上で検出された瞳孔位置に対応する位置情報を、側方画像６２１（側方画像６２２）に重ねて表示してもよい（例えば、水平線Ｉｈ３、水平線Ｉｈ４）。
【０１０７】
例えば、正面画像６２０上においてフレーム上のレンズ下端位置が検出された場合、制御部７０は、その対応関係を用いて、正面画像６２０上で検出されたフレーム位置に対応する位置情報を、側方画像６２１（側方画像６２２）に重ねて表示してもよい（例えば、フレーム下端線Ｆｈ２、フレーム下端線Ｆｈ３）。なお、本実施形態において、フレーム下端は、眼鏡レンズ面の底部のこととする。
【０１０８】
もちろん、制御部７０は、側方画像６２１（側方画像６２２）上において眼又はフレームに関連する位置（例えば、瞳孔位置、フレーム位置）が検出された場合、制御部７０は、その対応関係を用いて、側方画像６２１（側方画像６２２）上で検出された検出位置に対応する位置情報を、正面画像６２０に重ねて表示してもよい。
【０１０９】
なお、眼又はフレームに関連する位置は、自動で検出されてもよいし、手動で検出されてもよい。眼又はフレームに関連する検出位置は、被検者又は眼鏡フレームの違いによって撮像画像上で変化されうる。
【０１１０】
なお、解析結果に基づいて各画像に表示されたマークを検者が手動で修正することによって、画像解析の結果が修正されてもよい。以下、図５を用いて表示部１５に表示されるマークの説明を行う。
【０１１１】
正面画像６２０には、例えば、左瞳孔マークＰｃＬ、右瞳孔マークＰｃＲ、水平線Ｉｈ１、水平線Ｉｈ２、フレーム下端線Ｆｈ１などが重畳表示される。
【０１１２】
左瞳孔マークＰｃＬは、左眼の瞳孔位置を示し、画像解析によって得られた瞳孔位置に表示される。右瞳孔マークＰｃＲは、右眼の瞳孔位置を示し、画像解析によって得られた瞳孔位置に表示される。
【０１１３】
水平線Ｉｈ１は、左眼のアイポジションを通る水平線であって、左瞳孔マークＰｃＬの中心を通り、左右方向に延びる。水平線Ｉｈ２は、右眼のアイポジションを通る水平線であって、右瞳孔マークＰｃＲの中心を通り、左右方向に延びる。フレーム下端線Ｆｈ１は、眼鏡フレームＦの底部の位置を示し、左右方向に延びる。
【０１１４】
左側方画像６２１には、例えば、水平線Ｉｈ３、フレーム下端線Ｆｈ２、点ＰＬ、点ＱＬ、フレーム傾斜線ＦｉＬなどが主に重畳表示される。
【０１１５】
水平線Ｉｈ３は、左眼のアイポジションを通る水平線であって、正面画像６２０に表示された左瞳孔マークＰｃＬ及び水平線Ｉｈ１の高さ対応する位置に表示される。フレーム下端線Ｆｈ２は、眼鏡フレームＦの底部の高さを示し、正面画像６２０に表示されたフレーム下端線Ｆｈ１の高さに対応する位置に表示される。
【０１１６】
点ＰＬ，点ＱＬは、左側方画像６２１の解析によって検出されたフレーム上の位置に表示される。フレーム傾斜線ＦｉＬは、点ＰＬと点ＱＬを結ぶ線分である。
【０１１７】
右側方画像６２２には、例えば、水平線Ｉｈ４、フレーム下端線Ｆｈ３、点ＰＲ、点ＱＲ、フレーム傾斜線ＦｉＲなどが主に重畳表示される。
【０１１８】
水平線Ｉｈ４は、右眼のアイポジションを通る水平線であって、正面画像６２０に表示された右瞳孔マークＰｃＲ及び水平線Ｉｈ２の高さに対応する位置に表示される。フレーム下端線Ｆｈ３は、眼鏡フレームＦの底部の高さを示し、正面画像６２０に表示されたフレーム下端線Ｆｈ１の高さに対応する位置に表示される。
【０１１９】
点ＰＲ，点ＱＲは、右側方画像６２２の解析によって検出されたフレーム上の位置に表示される。フレーム傾斜線ＦｉＲは、点ＰＲと点ＱＲを結ぶ線分であり、フレームＦがどの程度前傾しているのか、つまり、フレームＦの前傾角が視覚的に認識できる。
【０１２０】
なお、図５〜７において、水平線Ｉｈ１と水平線Ｉｈ３、水平線Ｉｈ２と水平線Ｉｈ４、フレーム下端線Ｆｈ１，フレーム下端線Ｆｈ２及びフレーム下端線Ｆｈ３は、それぞれ繋がって表示されている。しかしながら、これに限らず、それぞれ分けて表示されてもよい。
【０１２１】
本実施形態では、例えば、左瞳孔マークＰｃＬ及び水平線Ｉｈ１と水平線Ｉｈ３、または、フレーム下端線Ｆｈ１とフレーム下端線Ｆｈ３のように、正面画像６２０と側方画像６２１，６２２の双方に、高さの対応したマークがそれぞれ表示される。これによって、正面画像６２０と側方画像６２１，６２２とを対応させて眼鏡装用パラメータの測定を行うことが容易になる。
【０１２２】
例えば、側方画像６２１，６２２では被検者の視線方向を認識し辛いため、瞳孔位置を求めることが難しい。しかしながら、例えば、正面画像６２０の瞳孔の高さに対応する水平線Ｉｈ３、Ｉｈ４と、側方画像６２１，６２２に表示された眼球の輪郭が交差する位置を求めることによって、簡単に瞳孔位置を求めることができる。水平線Ｉｈ３、Ｉｈ４のように、正面画像６２０で求められた瞳孔位置の高さに対応して表示されるマークは、側方画像６２１，６２２での瞳孔位置を求める際の補助となる。
【０１２３】
求められた側方画像６２１，６２２での瞳孔位置は、例えば、眼鏡装用距離ＶＤの測定などに利用される。
【０１２４】
なお、前述のように、高さ、及び倍率の同じ正面画像６２０と側方画像６２１，６２２とが三面投影図のように表示されることによって、正面画像６２０と側方画像６２１，６２２の双方に表示されるマークの対応関係がより明確になる。例えば、水平線Ｉｈ１と水平線Ｉｈ３とが画面上の同じ高さに表示される。
【０１２５】
＜画面表示を用いた手動測定方法について＞
以上に説明した測定画面を用いて、眼鏡装用パラメータを測定するときの本装置１の動作例を説明する。本実施例では、画像の解析結果を示す前述のマークの表示位置を、検者の入力によって手動で調整できる。例えば、画像解析に誤差が生じ、マークの表示位置が画像に対してずれている場合であっても、マークの表示位置を画像に合わせることができる。これによって、制御部７０は、調整されたマークから最終的な眼鏡装用パラメータを測定することができる。
【０１２６】
＜マークの調整方法＞
以下、図６を用いてマークの表示位置を調整する方法について説明する。図６には、画像解析に誤差が生じたことによって、適正な表示位置からずれたマークが破線で示されている。
【０１２７】
例えば、図６に破線で示す左瞳孔マークＰｃＬ´は、正面画像６２０の瞳孔位置からずれて表示されている。また、左眼のアイポジション高さを示す水平線Ｉｈ１´及び左側方画像６２１の水平線Ｉｈ３´も、適正な表示位置からずれた位置に表示されている。
【０１２８】
この場合、例えば検者は、図示無きポインティングデバイスによって左瞳孔マークＰｃＬ´の表示位置を調整する。ポインティングデバイスとしては、例えばタッチパネルや、マウス等が挙げられる。なお、以下の説明において、ポインティングデバイスは表示部１５に設けられたタッチパネルとする。
【０１２９】
＜左瞳孔マークを調整する場合＞
検者は、正面画像６２０に表示された左瞳孔マークＰｃＬ´にタッチし、正面画像６２０の瞳孔の位置までドラッグ操作する。このとき、制御部７０は、左瞳孔マークＰｃＬ´の表示位置を、正面画像６２０の瞳孔の位置に移動させる。
【０１３０】
このとき、制御部７０は、左瞳孔マークＰｃＬ´の表示位置を移動させるとともに、左瞳孔マークＰｃＬ´の移動に連動して、水平線Ｉｈ１´及び水平線Ｉｈ３´を移動させて表示する。つまり、制御部７０は、左瞳孔マークＰｃＬ´の高さと、水平線Ｉｈ１´及び水平線Ｉｈ３´の高さとが同期するように、表示を制御する。
【０１３１】
このように、正面画像６２０のマークと側方画像６２１，６２２のマークを連動して表示させることによって、一方に表示されたマークの位置を調整するだけで済み、操作が簡単になる。
【０１３２】
なお、以上の説明では、正面画像６２０に表示された左瞳孔マークＰｃＬ´を調整することによって、水平線Ｉｈ１´及び水平線Ｉｈ３´が連動して表示されるものとしたが、これに限らない。例えば、制御部７０は、水平線Ｉｈ１´を移動させるときに、左瞳孔マークＰｃＬ´及び水平線Ｉｈ３´を連動させてもよい。また、制御部７０は、側方画像に表示された水平線Ｉｈ３´を移動させるときに、正面画像６２０に表示された左瞳孔マークＰｃＬ´及び水平線Ｉｈ１´を連動させてもよい。
【０１３３】
もちろん、マークの位置が連動して表示される制御に関して、制御部７０は、正面画像６２０と左側方画像６２１だけでなく、正面画像６２０と右側方画像６２２も同様に制御してもよい。
【０１３４】
その他のマークも左瞳孔マークＰｃＬ´と同様に調整することができる。例えば、図６に破線で示すフレーム下端線Ｆｈ１´は、画像解析の誤差によってフレーム下端からずれて表示されている。フレーム下端線Ｆｈ１´の高さに対応して表示されるフレーム下端線Ｆｈ２´、フレーム下端線Ｆｈ３´も同様にフレーム下端からずれて表示される。
【０１３５】
この場合も、いずれか一つのフレーム下端線の表示位置を調整することによって、他のフレーム下端線の表示位置も調整される。
【０１３６】
また、図６に破線で示す点ＰＲ´は、画像解析の誤差によって側方画像６２１，６２２のフレーム上端からずれて表示されている。また、点ＰＲ´と点ＱＲを結ぶフレーム傾斜線ＦｉＲ´も、適正な位置からずれて表示されている。
【０１３７】
この場合も上記と同様に、ポインティングデバイスによって、点ＰＲ´またはフレーム傾斜線ＦｉＲ´の位置を調整することができる。
【０１３８】
なお、以上の説明において、制御部７０は、正面画像６２０及び側方画像６２１，６２２の縮尺が等しくなるように、画像の倍率を補正するものと説明した。しかしながら、これに限らない。
【０１３９】
例えば、遠用測定光学系２００及び近用測定光学系３００においても撮像倍率は異なる。これは、撮像素子２１０または撮像素子３１０から角膜までの光学的な距離が異なるからである。
【０１４０】
このため、制御部７０は、各光学系によって撮影された正面画像６２０の縮尺が等しくなるように、画像の倍率を補正してもよい。例えば、遠用測定光学系２００によって撮影された正面画像６２０と、近用測定光学系３００によって撮影された正面画像６２０とを切り換えて表示部１５に表示する。この場合、制御部７０は、各画像の縮尺が同じになるように倍率補正を行う。また、このとき、遠方視状態及び近方視状態の正面画像６２０の縮尺が、側方画像６２１，６２２の縮尺と等しくなるように、正面画像６２０の倍率を補正するとよい。
【０１４１】
以上のように、正面画像６２０及び側方画像６２１，６２２の縮尺が常に等しい状態で表示される。これによって、検者は正面画像６２０と側方画像６２１，６２２の対応関係を把握することが容易になる。また、検者は、画像の縮尺の変化に惑わされることが抑制される。
【０１４２】
なお、側方画像６２１，６２２よりも縮尺が小さく、画像を拡大する必要がある場合、拡大した画像は、側方画像６２１，６２２に対応する領域だけを表示部１５に表示させることができる。これによって、画像を拡大しなかった場合に比べ、不必要な部分（被検者の後方に写った背景など）を除くことができ、表示が見辛くなることが低減される。
【０１４３】
なお、本実施形態において、光学系移動ユニット３５０によって、近用測定時における固視標の呈示距離を変更することができる。このとき、光学系移動ユニット３５０によって撮像素子３１０の位置が変更される。すると、近用測定光学系３００によって撮影される正面画像６２０の撮影倍率が変化する。これは、固視標光源（光源３２０など）の移動に伴って、撮像素子３１０が移動するからである。撮像倍率が変化すると、表示部１５に表示する正面画像６２０の縮尺も変化する。
【０１４４】
例えば、近用呈示距離を２５ｃｍから５０ｃｍに変更した場合、撮像光学系３００ｂの撮像倍率が小さくなってしまう。これは、遠くから撮影した方が実物より小さく撮影されるからである。
【０１４５】
このため、固視標の呈示距離を変更する度に画像の縮尺が変化するため、正面画像６２０と左右の側方画像６２１，６２２の倍率表示が合わなくなり、左右の対応関係が見辛くなってしまう。場合によっては、画像の縮尺が小さくなり、測定対象である眼鏡周辺の領域が観察し難くなる可能性がある。
【０１４６】
これを抑制するため、制御部７０は、固視標の呈示距離の変更に伴って撮影倍率が変化しても、正面画像６２０と左右の側方画像６２１，６２２の縮尺が等しくなるように、画像の倍率を補正する。例えば、各撮像光学系３００ｂ，５００の設計データ等から視標呈示距離に対応する撮影倍率が予め求められる。制御部７０は、視標呈示距離に対応する撮影倍率に基づいて、画像の縮尺が等しくなるように画像処理を行ってもよい。また、これに限定されず、制御部７０は、正面画像と側方画像で共通する撮影対象の寸法（例えば、フレームの上端から下端までの距離）が一致するように、正面画像６２０と、左右の側方画像６２１，６２２との間の縮尺を画像処理によって補正するようにしてもよい。
【０１４７】
上記のように、撮像倍率の変化に合わせて正面画像６２０の倍率を変更することによって、検者は、正面画像６２０の縮尺の変化に惑わされることが抑制される。例えば、画像の縮尺が小さくなり、表示が見辛くなることが低減される。また、正面画像６２０と側方画像６２１，６２２の縮尺が等しい状態で表示されることによって、各画像の対応関係を把握することが容易になる。
【０１４８】
なお、本実施形態において、遠用測定光学系２００と、側方撮像光学系５００とにおいて、測定光軸のＹ軸方向の高さが一致するように設定されているものとしたが、これに限らない。
【０１４９】
例えば、制御部７０は、各光学系の測定光軸の高さがずれている場合、そのずれ量だけ正面画像６２０及び左右の側手画像の位置をずらして表示すればよい。
【０１５０】
例えば、正面と左右にマークまたは目盛の付いた治具を遠用測定光学系２００及び側方撮像光学系５００によって撮影させる。そして、制御部７０は、撮影された正面画像６２０及び左右の側方画像６２１，６２２のマークが画面上で同じ高さになるように、画像をずらして表示すればよい。
【０１５１】
このように、正面画像６２０と側方画像６２１，６２２の高さを合わせることによって、正面画像６２０と側方画像６２１，６２２の対応関係が明確になる。これによって、検者は眼鏡装用パラメータの測定を行い易くなる。また、左右の高さが一致していない状態に比べ、検者に生じる違和感が少なくなる。
【０１５２】
なお、本実施形態においては、一つの表示部１５に正面画像６２０及び左右の側方画像６２１，６２２を表示させるものとした。しかしながら、これに限らない。それぞれ独立して設けられた複数の表示部の一つに正面画像６２０を表示させ、別の表示部に側方画像６２１，６２２を表示させてもよい。これによっても、本実施形態と同様の効果を発揮する。
【０１５３】
なお、本実施形態において、制御部７０は、正面画像６２０と側方画像６２１，６２２にそれぞれ対応したマークを表示させるとしたが、これに限らない。
【０１５４】
制御部７０は、左側方画像６２１と右側方画像６２２にそれぞれ対応したマークを表示させてもよい。例えば、制御部７０は、検者による操作ユニット１０への入力信号を受け付け、左側方画像６２１に表示されたフレーム下端線Ｆｈ２を上方向または下方向に移動して表示させる。制御部７０は、フレーム下端線Ｆｈ２の移動に連動させて、右側方画像６２２に表示されたフレーム下端線Ｆｈ３を上方向または下方向に移動して表示させてもよい。
【０１５５】
別の例として、左右の側方画像６２１，６２２には、縦方向に延びた図示無き縦基準線がそれぞれ表示される。この縦基準線は、例えば、作動距離方向のアライメント基準を示すための線であるとする。制御部７０は、検者による操作ユニット１０への入力信号を受け付け、例えば、左側方画像６２１に表示された縦基準線を左右に移動させて表示させる。制御部７０は、左側方画像６２１の表示に連動させて、右側方画像６２２に表示された縦基準線を左右に移動させてもよい。
【０１５６】
なお、左側方画像６２１と右側方画像６２２は、作動距離方向の前後が反対に表示されている。このため、制御部７０は、例えば、左側方画像６２１の縦基準線を左に移動して表示した場合、右側方画像６２２の縦基準線を右に移動させて表示する。
【０１５７】
制御部７０は、右側方画像６２２に表示された縦基準線を移動させて表示させた場合も、同様に、左側方画像６２１の縦基準線を連動させて表示する。
【０１５８】
また、図７に示すように、側方画像６２１，６２２に眼鏡装用距離ＶＤを測定するためのマークＭが表示されてもよい。例えば、検者がマークＭの長さを角膜頂点からレンズ面の距離と等しくなるように調整すると、制御部７０は、マークＭの長さから、眼鏡装用距離ＶＤを求めることができる。なお、制御部７０は、例えば、瞳孔マークＰｃＬ，ＰｃＲを通る水平線上にマークＭを表示してもよい。また、制御部７０は、瞳孔マークＰｃＬ，ＰｃＲの上下移動に連動させて、マークＭを上下に移動させて表示してもよい。
【０１５９】
なお、以上の説明では、リムのある眼鏡フレームＦについて説明したが、リムのない眼鏡フレーム（例えば、ツーポイントフレームなど）も存在する（図７参照）。リムのない眼鏡フレームを正面方向から撮影した場合、フレーム（又はレンズ）の輪郭が非常に細く、検者は、正面画像６２０からレンズの縁を識別することが難しい場合がある。制御部７０によって、レンズの縁を検出することも難しい場合がある。
【０１６０】
一方、リムのない眼鏡フレームを側面方向から撮影した場合、レンズの厚みがフレーム（又はレンズ）の輪郭となる。従って、検者は、側方画像６２１，６２２からレンズの縁を識別することができる。制御部７０によって、レンズの縁を検出することも容易になる。
【０１６１】
以上のように、検者または制御部７０にとって、正面画像６２０よりも側方画像６２１，６２２の方がレンズの縁を識別し易い場合がある。この場合、例えば、制御部７０は、側方画像６２１，６２２から識別されたレンズの下端に水平線Ｆｈ３を合わせて表示し、それに連動させて、正面画像の水平線Ｆｈ１を移動させてもよい。
【０１６２】
このように、制御部７０は、側方画像６２１，６２２に表示したマークを、正面画像６２０に表示したマークに連動させるだけではない。正面画像６２０に表示したマークを、側方画像６２１，６２２に連動させてもよい。
【０１６３】
なお、以上の説明において、表示部１５には、正面画像６２０の左右に側方画像６２１，６２２が表示されるものとした。しかしながら、これに限らない。例えば、制御部７０は、側方画像６２１，６２２を正面画像６２０の上方または下方に表示してもよい。
【０１６４】
このような場合であっても、検者は、左右の側方画像６２１，６２２を観察して、被検者の顔の振れまたは眼鏡装用距離等を確認することができる。
【０１６５】
また、側方画像６２１，６２２が正面画像の左右に並んでいなくとも、制御部７０は、各画像に互いに対応するマークを表示することができる。これによって、正面画像６２０と側方画像６２１，６２２とを関連させて眼鏡装用パラメータを測定することが容易になる。
【０１６６】
なお、本実施形態においては、正面画像６２０及び左右の側方画像６２１，６２２の３つの画像を表示させるものとした。しかしながら、これに限らない。例えば、正面画像６２０及び左右の側方画像６２１，６２２の内、２つの画像を表示させた場合であっても、２つの画像の縮尺が等しくなるように画像処理等によって倍率を補正してもよい。また、２つの画像に対応するマークを各画像上に表示させてもよい。
【０１６７】
なお、以上の説明において、正面画像６２０と側方画像６２１，６２２の倍率補正を行う場合、制御部７０が画像処理を行うものとした。しかしながら、この画像処理だけに限らない。例えば、撮像光学系２００ｂ、撮像光学系３００ｂ、側方撮像光学系５００は、撮影倍率が等しくなるように設計されてもよい。これによって、それぞれ撮影した画像の縮尺を等しくすることができる。
【０１６８】
また、制御部７０は、図示無き駆動部等を制御することによって、各撮像光学系の光学部材又は光学素子を移動させ、画像の倍率を変更可能としてもよい。
【０１６９】
なお、本実施形態の眼鏡装用パラメータ測定装置１は、複数の撮像光学系を備え、被検者の画像を撮影するものとした。しかしながら、この構成に限らない。例えば、撮像光学系を備えていなくともよい。この場合、装置外部の撮像光学系によって撮影された被検者の画像データを種々のデータ通信手段によって受信する。そして、受信した画像を基に、被検者の眼鏡装用パラメータを測定してもよい。
【符号の説明】
【０１７０】
１  眼鏡装用パラメータ測定装置
５  顔支持ユニット
６  呈示窓
１０  操作ユニット
１５  表示部
７０  制御部
２００  遠用測定光学系
２１０  撮像素子
２１４  絞り
２２０  光源
３００  近用測定光学系
３１０  撮像素子
３１４  絞り
３２０  光源
４１０  反射ミラー
５００  側方撮像光学系
６２０  正面画像
６２１  左側方画像
６２２  右側方画像
Ｆ  眼鏡フレーム
Ｉｈ１  水平線
【図１】
2015066138.tif 000003
【図２】
2015066138.tif 000004
【図３】
2015066138.tif 000005
【図４】
2015066138.tif 000006
【図５】
2015066138.tif 000007
【図６】
2015066138.tif 000008
【図７】
2015066138.tif 000009